(57)【要約】【課題】素早く高さ調整が行えると共に、大引の湾曲などによって床束の管体が上方向へ引っ張られたとしても、管体の上昇を確実に阻止することのできる床束を提供する。【解決手段】ベース板１に立設した螺杆３に、上端に大引受板５を、下端にバネ受部７を固着した管体４を伸縮自在に遊嵌し、螺杆３に装着したバネ体１３により上方に押圧した係止片１０により管体４を係止または係止解除可能としている。また、螺杆３の管体４より下位には管体４を支持するための支持用ナット１４を螺着すると共に、管体４の下端部には略Ｕ字形状の掛け金具１５を回動自在に備える。そして、床束設置時に、係止片１０を操作して管体４との係止を解除すれば床束が伸縮自在となって素早く床束の高さ調整が行え、最後に掛け金具１５を回動させて支持用ナット１４の底面に引っ掛ければ管体４の上昇を確実に阻止できる。【選択図】  図１
2004270239.tif 000002
【特許請求の範囲】
【請求項１】
ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体より下位には管体を支持するための支持用ナットを螺着すると共に、管体の下端部には略Ｕ字形状の掛け金具を回動自在に備え、前記支持用ナットを管体下端のバネ受部に当接させた状態で前記掛け金具を支持用ナットの下位側へ回動させ、掛け金具の先端部を支持用ナットの底面に引っ掛けて管体の上昇を阻止させるように構成したことを特徴とする床束。
【発明の詳細な説明】
【０００１】
【発明の属する技術分野】
本発明は、住宅などの建築物の床を支えるために、基礎である束石に立設して大引を支持する鋼製の床束に関する。
【０００２】
【従来の技術】
従来、床束として木材製のものが一般に使用されているが、木材製の床束は床高さ寸法通りに切断していく必要があって甚だ面倒であり、また微調整も困難であるために、最近では、螺子によって高さ調節を自在とした鋼製の床束が採用されるようになってきており、本出願人もこの鋼製の床束を既に出願済みである（特開２００１−５９３３０号）。
【０００３】
図９及び図１０は、この鋼製の床束を説明する図であって、ベース板１０１上に螺子溝を螺刻した螺杆１０２を立設し、上端に大引受板１０３を、下端にバネ受部１０４を固着した管体１０５を前記螺杆１０２へ伸縮自在に遊嵌している。また、対向側面に操作部１０６ａと係止部１０６ｂとをそれぞれ形成した舌付き座金よりなる係止片１０６を、前記管体１０５内の螺杆１０２に遊嵌し、一端側の係止部１０６ｂを管体１０５側面に穿設した透孔１０７に係止させる一方、他端側の操作部１０６ａを管体１０５側面に穿設した縦長孔１０８に挿入して管体１０５外へと突出させている。
【０００４】
また、管体１０５内の下部にはバネ体１０９を内装しており、このバネ体１０９の復元力によって前記係止片１０６を上方へと押圧付勢させ、図９に示すように、係止部１０６ｂを支点として傾斜させることにより、係止片１０６の内周縁を螺杆１０２の螺子溝に噛み込ませて管体１０５の下降を阻止するようにしている一方、バネ体１０９の復元力に抗して係止片１０６の操作部１０６ａを押し下げて係止片１０６を略水平に回動させれば、係止片１０６の内周縁と螺杆１０２の螺子溝との噛み込みを解除できる構成としている。
【０００５】
１１０は管体１０５支持用のナットであって、管体１０５よりも下位の螺杆１０２に螺着しており、その上面を管体１０５底面のバネ受部１０４に当接させて管体１０５を支持すると共に、スパナなどで締め付けることによって管体１０５を少しずつ押し上げて床束高さの微調整を行えるようにしている。１１１は管体１０５の下端に回動自在に備えたナットロックであって、図１０に示すように、高さ調整を終えた支持用ナット１１０の側面に掛け止めして、ナットが何らかの拍子で回動したりしないようにしている。
【０００６】
そして、この床束にて床下の大引を支持するときは、先ず、床束の大引受板１０３を大引にあてがい、双方を釘などで固定する。次に、係止片１０６の操作部１０６ａを押し下げて管体１０５と螺杆１０２とを摺動自在にし、床束を適宜長さに伸縮調整しながらベース板１０１を束石などの基礎上に据えて釘などで固定する。このとき、床束には大引からの荷重が加わるが、係止片１０６の内周縁が螺杆１０２の螺子溝に噛み込むため下降することはない。つづいて、大引の最終の高さ調整を行うために、支持用ナット１１０を回転させて管体１０５下端のバネ受部１０４に当接させた後、スパナなどで締め付けて管体１０５を少しずつ押し上げていって高さを微調整する。そして、この高さ調整が終われば、支持用ナット１１０が何らかの拍子で回転して緩んだりしないようにナットロック１１１を掛けて設置が完了するものである。
【０００７】
ところで、木製である大引は時間の経過と共に乾燥していくため、それにつれて収縮が起こって湾曲を生じることがあり、その湾曲の方向が例えば上方向である場合には、大引に固定された管体１０５は一緒に上方向へと引っ張る力が作用する。また、施工中において大引上へ資材などを置くことで大引が下方向へとたわみ、この状態のまま床束の高さ調整をすれば、大引上の資材などが取り除かれた途端に大引が元の状態に戻ろうとするため、やはり管体１０５は上方向へと引っ張る力が作用する。
【０００８】
【発明が解決しようとする課題】
上記の床束では、管体１０５に加わる力が下方向であれば支持用ナット１１０によって管体１０５の下降は確実に阻止できて何ら支障はないものの、前記のように、管体１０５に上方向への力が加わった場合には、管体１０５の上昇を阻止することができないため、本来隙間無く密接していなければならないバネ受部１０４と支持用ナット１１０との間に隙間が生じてしまい、床板の上を人が歩いたときなどに管体１０５が上下動してしまい、その度にバネ受部１０４と支持用ナット１１０とが当たってカチカチといった非常に耳障りな金属音が発生する不具合が生じることが判明した。
【０００９】
本発明は上記の点に鑑み、素早く高さ調整が行えると共に、大引の湾曲などによって床束の管体が上方向へ引っ張られたとしても、管体の上昇を確実に阻止することのできる床束を提供することを課題とする。
【００１０】
【課題を解決するための手段】
本発明は上記の課題を解決するために、ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体より下位には管体を支持するための支持用ナットを螺着すると共に、管体の下端部には略Ｕ字形状の掛け金具を回動自在に備え、前記支持用ナットを管体下端のバネ受部に当接させた状態で前記掛け金具を支持用ナットの下位側へ回動させ、掛け金具の先端部を支持用ナットの底面に引っ掛けて管体の上昇を阻止させるように構成したことを特徴としている。
【００１１】
【発明の実施の形態】
本発明に係る床束を使用して大引を支持するときには、先ず、管体上端の大引受板を大引に釘等で固定する。そして、これら床束の係止片の操作部を押し下げながら素早く伸縮させて床束を適宜長さとし、床束のベース板を束石等の基礎上に据えて釘等で固定する。このとき、床束には大引の荷重が加わるが、傾斜保持された係止片の内周縁が螺杆の螺子山に係止して大引を支持する。続いて、支持用ナットを回転させながら上昇させて管体下面に当接させ、スパナ等で締め付けを行うことで管体を少しづつ押し上げて大引の最終的な高さを微調整する。そして、最後に掛け金具を回動させ、掛け金具の先端部を支持用ナットの底面に引っ掛けて固定し、床束による大引の支持工程を完了する。
【００１２】
一方、施工完了後、大引に乾燥による上方向への湾曲が生じた場合、大引に固定した床束の管体にも上方向への引っ張り力が加わるが、管体下端部の掛け金具を螺杆に螺着した支持用ナットの底面に引っ掛けているため、管体の上昇を確実に阻止して管体の高さ位置を保持することができる。
【００１３】
このように、上記床束は、係止片の操作部を押し下げれば伸縮を自在に行うことができて公知の螺子式の床束より素早く高さ調整を行えて作業能率を向上できる。また、乾燥に伴う大引の湾曲などによって床束の管体が上方向へ引っ張られたとしても、管体の上昇を確実に阻止することができ、これによって、管体下端部のバネ受部と支持用ナットとの間に隙間が生じることはないので、カチカチという金属音の発生をなくすことができる。
【００１４】
【実施例】
以下、本発明の実施例を図１乃至図８に基づいて説明する。
【００１５】
図中の１は床束のベース板であって、該ベース板１には適宜数の釘孔２を穿設すると共に、その中央部には所定長さの螺杆３を立設している。
【００１６】
４は上端に略Ｌ字形状をした大引受板５を、下端に螺杆３の外径より若干大径の丸孔６を穿設したバネ受体７を固着した管体であって、該管体４の丸孔６に螺杆３を挿入して伸縮自在としている。なお、螺杆３の先端には管体４内を摺動して揺動を防止するための摺動体８を固着している。また大引受板５には適宜数の釘孔９を穿設している。
【００１７】
１０は対向側面に操作部１０ａと係止部１０ｂを形成した舌付き座金よりなる係止片であって、該係止片１０は螺杆３に遊嵌させてその係止部１０ｂを管体４側面に穿設した透孔１１に係止させると共に、操作部１０ａを管体４側面に穿設した縦長孔１２に挿入して管体４外へと突出させる一方、螺杆３に装着したバネ体１３により係止片１０を上方に押圧付勢している。
【００１８】
係止片１０は、図５に示すように、バネ体１３により上方に押圧付勢されて係止部１０ｂを支点として操作部１０ａ側が上位となるように傾斜し、係止片１０の内周縁１０ｃを螺杆３の螺子溝に噛み込ませ、床束に荷重が加わっても係止片１０の内周縁１０ｃが螺杆３の螺子山に係止して管体４の下降を阻止できるようになっている。
【００１９】
また、図６に示すように、係止片１０の操作部１０ａを押し下げると、操作部１０ａが係止部１０ｂを支点にバネ体１３を縮ませながら縦長孔１２に沿って下方へと回動し、係止片１０の内周縁１０ｃと螺杆３の螺子山との係止が解除され、床束の縮小、伸長が自在に行えるようになっている。
【００２０】
１４は螺杆３の管体４下位に螺着した支持用ナットであって、管体４底面のバネ受体７に当接させて管体４を支持すると共に、スパナ等で締め付けることにより管体４を少しづつ押し上げて床束高さの微調整を行うものである。
【００２１】
１５は管体４の下端部にタッピン螺子１６にて回動自在に軸着した掛け金具であって、所定厚の鉄板を略Ｕ字形状に折り曲げ加工したものである。そして、図７及び図８に示すように、前記支持用ナット１４を管体４下端のバネ受部７に当接させた状態で前記掛け金具１５を、図中の矢印で示すように、支持用ナット１４の下位側へ回動させ、掛け金具１５の先端部を支持用ナット１４の底面に引っ掛けさせて管体４の上昇を阻止できるようにしている。
【００２２】
また、掛け金具１５の先端部の中央部分には窪み部１７を設けており、図７及び図８に示すように、掛け金具１５を支持用ナット１４の底面に引っ掛ける際に、螺杆３を前記窪み部１７内に収めさせるようにして邪魔にならないように図っている。
【００２３】
なお、タッピン螺子１６から掛け金具１５の先端部内面までの長さと、タッピン螺子１６から支持用ナット１４の底面までの長さとをほぼ同じ長さに構成しており、掛け金具１５を図７の状態から図８の状態へ回動させる際にはハンマーなどで打ち込むことでようやく回動できるようにしている。したがって、掛け金具１５の支持用ナット１４底面への引っ掛け作業が完了すれば、バネ受部７と支持用ナット１４とを隙間無く強固に密着させることができると共に、支持用ナット１４の回動も完全に防止することができる。
【００２４】
しかして、上記床束により床下の大引を支持するときには、先ず、床束の大引受板５を大引にあてがい、釘孔９に釘を打ち込んで固定する。この大引には複数個の床束が適宜間隔で取付けられる。そして、これら床束の係止片１０の操作部１０ａを押し下げて床束を適宜長さに伸縮調整しながら床束のベース板１を束石等の基礎上に据えて接着剤で貼着した後、釘孔２に釘を打ち込んで固定する。このとき、床束にて大引を支持すると、大引の荷重が加わるが、係止片１０の係止部１０ｂ側の内周縁１０ｃが螺杆３の螺子山に係止されて下降することはない。次に、大引の最終の高さ調整を行うために、支持用ナット１４を回転させて管体４下端のバネ受体７に当接させ、支持用ナット１４をスパナ等で回動させて管体４を少しづつ押し上げて高さ調整を行う。そして、最終的な高さ調整が終わると、掛け金具１５を支持用ナット１４の下位方向へ回動させ、最後にハンマー等で打ち込んで掛け金具１５の先端部を支持用ナット１４の底面に引っ掛け、管体４に上方向への引っ張り力が加わっても管体４が上昇したりしないように固定する。
【００２５】
このように、上記床束によれば、床束の係止片１０の操作部１０ａを押し下げれば自在に伸縮することができ、これによって素早く高さ調整ができて作業効率が向上する。また、高さ調整後には、掛け金具１５を支持用ナット１４の底面へ引っ掛けることにより、管体４の上昇を完全に阻止することができ、施工後の大引の乾燥などによって大引が上方向へ湾曲したとしても、管体４が一緒に持ち上げられて管体４下端のバネ受部７と支持用ナット１４との間に隙間が生じてしまうようなことはなく、従来のカチカチという耳障りな金属音の発生をなくすことができる。
【００２６】
【発明の効果】
以上のように本発明に係る床束によれば、ベース板に立設した螺杆に、上端に大引受板を、下端にバネ受部を固着した管体を伸縮自在に遊嵌し、対向側面に操作部と係止部を形成した舌付き座金よりなる係止片を管体内の螺杆に遊嵌し、該係止片の係止部を管体側面に穿設した透孔に係止させると共に、係止片の操作部を管体側面に穿設した縦長孔に挿入して管体外へと突出させ、バネ体により係止片を上方に押圧付勢して係止部を支点として傾斜させ、係止片の内周縁を螺杆の螺子山に係止させて管体の下降を阻止させる一方、係止片の操作部の押し下げによりバネ体に抗して係止片を回動させると前記係止を解除する構成とし、かつ螺杆の管体より下位には管体を支持するための支持用ナットを螺着すると共に、管体の下端部には略Ｕ字形状の掛け金具を回動自在に備え、前記支持用ナットを管体下端のバネ受部に当接させた状態で前記掛け金具を支持用ナットの下位側へ回動させ、掛け金具の先端部を支持用ナットの底面に引っ掛けさせて管体の上昇を阻止させるように構成したので、床束の係止片の操作部を押し下げれば自在に伸縮させることができ、素早く高さ調整を行えて作業能率を向上できると共に、乾燥などによって大引が上方向へ湾曲したとしても、支持用ナットの底面へ引っ掛けて固定した掛け金具により管体の上昇を阻止することができる。
【図面の簡単な説明】
【図１】本発明に係る床束の一部切り欠き正面図である。
【図２】図１の側面図である。
【図３】図１の背面図である。
【図４】図１のＡ−Ａ矢視断面図である。
【図５】図１の要部拡大図である。
【図６】図４の係止片の操作部を押し下げた状態を示す図である。
【図７】掛け金具を支持用ナットに引っ掛ける前の状態を示す斜視図である。
【図８】図６の掛け金具を支持用ナットに引っ掛けた状態を示す図である。
【図９】従来の床束を示す一部切り欠き正面図である。
【図１０】図８の側面図である。
【符号の説明】
１…ベース板                      ３…螺杆
４…管体                          ５…大引受板
７…バネ受部                      ８…摺動体
１０…係止片                      １０ａ…操作部
１０ｂ…係止部                    １０ｃ…内周縁
１１…透孔                        １２…縦長孔
１３…バネ体                      １４…支持用ナット
１５…掛け金具
【図１】
2004270239.tif 000003
【図２】
2004270239.tif 000004
【図３】
2004270239.tif 000005
【図４】
2004270239.tif 000006
【図５】
2004270239.tif 000007
【図６】
2004270239.tif 000008
【図７】
2004270239.tif 000009
【図８】
2004270239.tif 000010
【図９】
2004270239.tif 000011
【図１０】
2004270239.tif 000012